(57)【要約】【課題】  装着感が良好でかつ、縁漏れ吸収材に吸収される水性の液体の逆戻りを防止する吸収具およびその製造装置を提供する。【解決手段】  透水性を有する表側シート１１と、不透水性を有する裏側シート１２とが、親和性を有する吸収材１３を介在させて積層し、表側シート１１の表面上の少なくとも一部に疎水性を有する油剤１５が塗布されて形成される透過抑制層１４を含んで形成する。この吸収具１０は、搬送される吸収材１３を帯状の表側シート１１の素材３３および帯状の裏側シート１２の素材３４によって覆い、表側シート１１の表面上に油剤塗布手段２７ａによって油剤１５を塗布して、吸収具型抜き手段２８によって複数の吸収具１０を連続的に型抜きする型抜き工程を経て形成する。【選択図】      図１
2006006613.tif 000002
【特許請求の範囲】
【請求項１】
透水性を有する表側シートと、
不透水性を有し、表側シートに積層される裏側シートと、
親水性を有し、表側シートおよび裏側シート間に設けられる吸収材と、
疎水性を有する油剤から成り、前記油剤が表側シートの一部の領域に塗布されて形成される透過抑制層とを含むことを特徴とする吸収具。
【発明の詳細な説明】
【技術分野】
【０００１】
本発明は、水性の液体を吸収するための吸収具およびその製造装置に関する。
【背景技術】
【０００２】
図２２は、従来の技術の吸収具１を示す断面図である。吸収具１は、透水性を有する表側シート２と表側シート２に積層される不透水性を有する裏側シート３を含んで構成される。また吸収具１は、表側シート２と裏側シート３の間に親水性を有する吸収材４を含む。吸収具１は、吸収具１の外方から表側シート２に水性の液体を付着させると、水性液体は、表側シート２を透過し、吸収材４によって吸収される（たとえば、特許文献１参照）。
【０００３】
他の従来の技術の吸収具は、吸収具１と同様の構成であって、複数の透孔を有する不透水性の表側シートたとえばポリエチレンなどの合成樹脂を含んで構成される。これによって吸収具は、表側シートが有する透孔から水性の液体を吸収具の内部に導き、吸収することができる。
【０００４】
さらに他の従来の技術の吸収具は、吸収具１と同様の構成であって、吸収材に高分子吸収材を用いて構成される。高分子吸収材は水性の液体を吸収すると、水性の液体とあいまって固化する。
【０００５】
【特許文献１】特開２００３−２４３７６（第３−５頁、第１図）
【発明の開示】
【発明が解決しようとする課題】
【０００６】
従来の技術の吸収具１では、吸収具１が加圧などされることによって吸収材４に吸収された水性の液体が、表側シート２を透過して、吸収具１の外方に逆戻りする。吸収具１が人体の皮膚に接触させて使用する場合、逆戻りした水性の液体が皮膚に付着し、皮膚に付着した状態で放置したままにしておくと皮膚のかぶれおよび褥瘡を発症するおそれがあるので、長期間にわたって吸収具１を使用することができなかった。
【０００７】
図２３は、吸収具１を装着した状態で上下方向に配置して使用している場合の断面図である。吸収具１を上下方向に配置する場合、水性の液体は、重力によって鉛直方向に流れ、供給位置より鉛直方向下方でしか吸収できず、側方で吸収できないので、前記液体を吸収する面積が小さく、吸収具１が前記液体を吸収しきれずに、縁漏れしていた。
【０００８】
他の従来の技術の吸収具では、ポリエチレン自体に柔軟性がなく、人体になじみにくいので、人体を動かした場合、人体の皮膚とポリエチレンとが摺接して、違和感を与え、装着感が悪い。
【０００９】
さらに他の従来の技術の吸収具では、高分子吸収材が水性の液体を吸収すると固化するので、吸収具を人体に接触させた場合、固化した高分子吸収材によって人体の皮膚が押圧され、違和感を与え、装着感が悪い。
【００１０】
したがって本発明の目的は、装着感が良好でかつ、縁漏れおよび吸収材に吸収される水性の液体の逆戻りを抑制する吸収具およびその製造装置を提供することである。
【課題を解決するための手段】
【００１１】
本発明は、透水性を有する表側シートと、
不透水性を有し、表側シートに積層される裏側シートと、
親水性を有し、表側シートおよび裏側シート間に設けられる吸収材と、
疎水性を有する油剤から成り、前記油剤が表側シートの一部の領域に塗布されて形成される透過抑制層とを含むことを特徴とする吸収具である。
【発明の効果】
【００１２】
本発明によれば、吸収具は透過抑制層を有するので、表面シートを透過する水性の液体の量を抑制することができる。また吸収具は、表側シートに付着する水性の液体を徐々に吸収する。したがって透過抑制層は、表側シートの一部に油剤を塗布することによって形成されるので、吸収具が水性の液体を吸収することに影響を与えない。このような吸収具は、使用者が人体の皮膚を表側シート側に接触させて、体内から分泌または排泄される液体を吸収させることができる。また人体に接触させて用いる場合、一度吸収させた前記液体の逆戻りを抑制することができるので、前記液体が逆戻りして、人体の皮膚に付着する量を少なくすることができる。したがって逆戻りした液体が人体の皮膚に付着することによる不快感を軽減することができる。また、前記液体の付着する量が少ないので、付着した液体内での細菌などの繁殖に起因するかぶれおよび褥瘡などを発症することを抑制される状態で長時間にわたって使用することができる。
【発明を実施するための最良の形態】
【００１３】
図１は、本発明の実施の一形態の吸収具１０の一部を拡大して示す斜視断面図である。図２は、吸収具１０を示す断面図である。図３は、吸収具１０を示す平面図である。吸収具１０は、水性の液体を吸収するために用いられ、たとえば生理用品および医療用パッドなどに用いられる。吸収具１０は、透水性を有する表側シート１１と、不透水性を有する裏側シート１２と、表側シート１１および裏側シート１２の間に介在される吸収材１３と、透過抑制層１４とを含んで構成される。吸収具１０は、人体の皮膚に装着することができ、たとえば図３のように略楕円形状に形成される。
【００１４】
表側シート１１は、たとえば不織布によって実現され、水性の液体を透過することができる。吸収具１０を装着するときは、表側シート１１が使用者の皮膚に対向するように配置される。このため肌着に近い感触を有する不織布を用いることによって、違和感なく前記吸収具１０を装着することができる。吸収材１３は、たとえばフラッフパルプおよび吸水ポリマを含んで構成される。この吸収材１３は、表側シート１１を透過した水性液体を吸収して保持することができる。裏側シート１２は、ポリエチレンなどの熱可塑性合成樹脂によって実現され、吸収具１０が使用されている状態で吸収材１３に吸収された液体が外部に漏れ出ないようにすることができる。表側シート１１および裏側シート１２は、吸収材１３を介在して、各シート１１，１２の周縁部１８がホットメルト型接着剤によって相互に固着される。
【００１５】
透過抑制層１４は、表側シート１１の吸収材１３に臨む一表面１１ａと反対側の他表面１１ｂに疎水性を有する油剤１５を塗布することによって形成される。油剤１５は、油剤１５が塗布される塗布領域１６と油剤１５が塗布されない非塗布領域１７とが縞状に形成されるように表側シート１１の他表面１１ｂに塗布される。また油剤１５は、隣り合う塗布領域１６の間隔Ｌ１および厚みが、吸収具１０を皮膚に接触させて装着する場合、皮膚が隣り合う塗布領域１６に塗布される油剤１５によって支持され、非塗布領域１７において皮膚と表側シート１１との間に空隙が形成されるような長さおよび厚さに塗布される。具体的には、間隔Ｌ１が約０.５〜５ｍｍであって、厚みが均一となるように塗布されている。油剤１５は、肌に接触した場合に、違和感がない粘性を有する油脂たとえばラノリンなどの動物から抽出される動物油脂、椿油およびオリーブオイルなどの植物から抽出される植物油脂によって実現される。
【００１６】
吸収具１０の表側シート１１側の一表面に局所的に水性の液体が付着した場合、前記液体は、油剤１５によって非塗布領域１７に案内され、表側シート１１を浸入方向Ａに透過し、吸収具１０内部に浸入する。浸入する液体は、吸収材１３によって吸収される。
【００１７】
吸収具１０は、押圧などされると、吸収材１３に吸収された水性の液体が、吸収材１３の外部に排出される。排出される水性の液体のうち吸収具１０の内部から外部に向う第１排出方向Ｂ１に排出される液体は、表面シート１１を透過して、非塗布領域１７から表側シート１１の外表面に染み出る、すなわち逆戻りする。排出される水性の液体のうち第２排出方向Ｂ２に排出される液体は、表側シート１１を透過するけれども、表側シート１１に疎水性を有する油剤１５が塗布されているので、油剤１５によって外部への流出が阻止され、吸収材１３に導く内部方向Ｃ１に案内される。これによって吸収具１０は、前記液体が油剤１５によって吸収具１０の外部方向Ｃ２に流出することを防ぐことができる。したがって吸収具１０からの逆戻りを抑制することができる。また吸収具１０は、皮膚に装着されても、油剤１５によって表側シート１１と皮膚との間に空隙が形成されるので、逆戻りする水性の液体が皮膚に付着することを防ぐことができる。
【００１８】
図４は、吸収具１０を製造するための製造装置２０を簡略して示す平面図である。図５は、製造装置２０に用いられる油剤転写コートロール４０を示す斜視図である。製造装置２０は、吸収材素材供給手段２１、綿状パルプ散布手段２２、吸収材型抜き手段２３、表側素材供給手段２４、裏側素材供給手段２５、接着剤塗布手段２６、油剤塗布装置２７および吸収具型抜き手段２８を含んで構成される。
【００１９】
吸収材素材供給手段２１は、帯状の吸収材の素材３１、たとえばティシュを供給する。綿状パルプ散布手段２２は、供給される前記素材３１上に綿状パルプ３２を散布し、所定の厚さに積層する。吸収材型抜き手段２３は、たとえばロータリカッターであり、吸収材の素材３１に綿状パルプ３２を散布した帯状吸収材３５から吸収材１３を型抜きする。
【００２０】
表側素材供給手段２４は、搬送されてくる吸収材１３を下側から覆うように、帯状の表側シートの素材３３を供給する。また裏側素材供給手段２５は、搬送されてくる吸収材１３を上側から覆うように、帯状の裏側シートの素材３４を供給する。
【００２１】
接着剤塗布手段２６は、帯状の表側シートの素材３３に接着剤を塗布する第１接着剤塗布手段２６ａと、帯状の裏側シートの素材３４に接着剤を塗布する第２接着剤塗布手段２６ｂとを含む。
【００２２】
油剤塗布装置２７は、油剤１５を貯える油剤貯蔵手段２７ａ、油剤１５を搬送する油剤搬送手段２７ｂ、搬送された油剤１５を転写する油剤転写手段２７ｃおよび転写された油剤１５を搬送される帯状の表側シートの素材３３に塗布する油剤塗布手段２７ｄを有する。
【００２３】
油剤搬送手段２７ｂは、略円筒形状に形成され、回転方向Ｄ１に沿って回転し、油剤搬送手段２７ｂの外周面部の一部が油剤貯蔵手段２７ａに貯えられる油剤１５に浸漬するように設けられる。油剤転写手段２７ｃは、略円筒形状に形成され、回転方向Ｄ２に沿って回転し、油剤搬送手段２７ｂの外周面部と油剤転写手段２７ｃの外周面部とが転がり接触するように設けられる。転写ローラである油剤塗布手段２７ｄは、略円筒形状であって、外周面部に凹凸が形成され、回転方向Ｄ３に沿って回転し、油剤転写手段２７ｃの外周面部と搬送される帯状の表側シートの素材３３とが転がり接触するように設けられる。たとえば、図５に示すような油剤転写コートロール４０によって実現される。
【００２４】
油剤転写コートロール４０は、略円筒形状に形成され、外周面部に周方向に延びる凸部４２を、全周にわたって形成し、周方向と略垂直方向に長さＬ１の間隔で連続的に形成する。これによって外周面部に縞状凸部４３が形成される。
【００２５】
油剤搬送手段２７ｂは、外周面部を油剤貯蔵手段２７ａに貯えられる油剤１５に浸漬し、外周面部に油剤１５を付着させる。油剤搬送手段２７ｂは、回転方向Ｄ１に回転するとともに、油剤転写手段２７ｃに転がり接触し、付着する油剤１５を油剤転写手段２７ｃの外周面部に塗布する。油剤転写手段２７ｃは、回転方向Ｄ２に回転するとともに、油剤塗布手段２７ｄに転がり接触し、付着する油剤１５を、油剤塗布手段２７ｄの外周面部に塗布する。油剤塗布手段２７ｄは、帯状の表側シートの素材３３に転がり接触し、付着する油剤１５を塗布する。油剤塗布手段２７ｄの外周面部に凹凸が形成されているので、帯状の表側シートの素材３３に凹凸に基づいた模様、たとえば油剤転写ロール４０Ｄでは縞状に油剤１５が塗布され、透過抑制層１４が形成される。吸収具型抜き手段２８は、たとえばロータリカッターであり、吸収材１３が帯状の表側シートの素材３３と帯状の裏側シートの素材３４とによって覆われた帯状の吸収具３７から吸収具１０を型抜きする。
【００２６】
製造装置２０は、吸収材素材供給手段２１が供給する帯状の吸収材１３の素材３１上に、綿状パルプ３２を散布することによって帯状の吸収材３５を形成する。帯状の吸収材３５は、吸収材型抜き手段によって型抜きされ、単一個の吸収材１３が形成される。
【００２７】
このようにして形成された吸収材１３は、図示しない搬送手段によって矢符Ｆで示される搬送方向に予め定める間隔ΔＬ２で連続して搬送され、吸収材１３の下方に設けられる表側素材供給手段２４から供給される帯状の表側シートの素材３３上に乗り移り、この吸収材３の上方に設けられる裏側素材供給手段２５から供給される帯状の裏側シートの素材が乗載される。また帯状の表側シートの素材３３が供給されるときに、帯状の表側シートの素材３３が帯状の裏側シートの素材３４と対向する表面に、第１接着剤塗布手段２６ａによってホットメルト型接着剤が塗布され、帯状の裏側シートの素材３４が供給されるときに、帯状の裏側シート素材３４が帯状の表側シートの素材と対向する表面に、第２接着剤塗布手段２６ｂによってホットメルト型接着剤が塗布される。
【００２８】
帯状の表側および裏側シートの素材３３，３４間に吸収材１３を介在させた状態で、一対の加熱ローラ（図示せず）間を搬送されると表側および裏側シートの素材３３，３４に塗布されたホットメルト型接着剤によって、吸収具１０の周縁の領域では表側シートの素材３３と裏側シートの素材３４とが接着され、吸収材１３が介在する領域では吸収材１３が表側および裏側シートの素材３３，３４に接着される。これによって吸収材１３が形崩れしにくくなる。これによって帯状の表側および裏側シートの素材３３，３４間に吸収材１３を介在させる帯状の吸収具１０の素材３６が形成される。
【００２９】
帯状の吸収具１０の素材３６は、搬送手段によって搬送方向Ｆの下流方向に表側シートの素材３３が油剤塗布手段２７ｄと転がり接触するように搬送され、油剤塗布手段２７ｄの外周面部に形成される凸部に付着する油剤１５を表側シートの素材３３の吸収材１３と対向する面と反対側の表面に塗布する。本実施の形態では、図５に示すような油剤転写コートロール４０を用いて、前記表面に油剤１５を縞状に塗布し、吸収具１０が有する透過抑制層１４を形成する。これによって油剤１５が塗布された帯状の吸収具の素材３６である帯状の吸収具３７が形成される。
【００３０】
このように形成された帯状の吸収具３７は、搬送手段によって搬送方向Ｆの下流へ搬送され、吸収具型抜き手段２８によって型抜きされ、単一個の吸収具１０を形成する。このようにして製造装置２０によって連続的に吸収具１０を製造する。
【００３１】
図６は、本発明の実施の他の形態の吸収具１０Ａ（以下、理解を容易にするために「母乳吸収パッド１０Ａ」という場合がある。）の装着状態を示す断面図である。図７は、母乳吸収パット１０Ａを示す平面図である。図８は、母乳吸収パッド１０Ａの一部を拡大して示す平面図である。図９は、母乳吸収パッド１０Ａの一部を拡大して示す断面図である。母乳吸収パッド１０Ａは、出産前後の女性が乳房に装着して、漏れ出る母乳を吸収するために用いられる。
【００３２】
母乳吸収パッド１０Ａは、前述の実施の形態の吸収具１０と同様の構成であるので、同一の符号を付して説明を省略する。母乳吸収パッド１０Ａは、油剤１５が予め定められた方向に延びる縞状に塗布される透過抑制層１４を有する。
【００３３】
母乳吸収パッド１０Ａは、油剤１５の延びる方向と矢状面５２とが略垂直となり、この状態で母乳吸収パッド１０Ａが有する透過抑制層１４の上下方向（矢状面５２に沿う方向）の中央位置が乳首５３に対向するように、透過抑制層１４を内側にして肌に接触させて、乳房５１に装着される。
【００３４】
母乳吸収パッド１０Ａが乳房５１に装着され、乳首５３から母乳が漏れると、母乳は、乳首５３より重力下方向に母乳吸収パッド１０Ａの表側シート１１の表面に沿って流れる。前記母乳は、表側シート１１上を流れ、油剤１５が形成する第１油剤筋１５ａに達すると、油剤１５が延びる方向に案内される。案内された母乳は、表側シート１１を透過し、吸収材１３によって吸収される。また案内および吸収されなかった母乳は、第１油剤筋１５ａより下方向に形成される第２油剤筋１５ｂに達すると、第１油剤筋１５ａと同様に、油剤１５が延びる方向に案内し、吸収材１３によって吸収される。このようにして乳首から漏れ出る母乳は、縞状に油剤１５が塗布されて形成される透過抑制層１４によって、油剤１５が延びる方向に案内し、拡散させることができる。また拡散された母乳は、非塗布領域１７から表側シート１１を透過して吸収材１３に吸収させることができる。これによって母乳吸収パッド１０Ａは、乳首５３から漏れる母乳を透過抑制層１４を形成する油剤１５によって拡散させ、広範囲で吸収することができる。したがって母乳が母乳吸収パッド１０Ａで迅速に吸収され、母乳吸収パッド１０Ａから母乳が漏れることを抑制することができる。
【００３５】
図１０は、本発明の実施のさらに他の形態の吸収具１０Ｂが人体６０に装着される状態の一部を拡大して示す断面図である。図１１は吸収具１０Ｂが人体６０に装着される状態を示す側面図である。本実施の形態の吸収具１０Ｂは、前述の実施の形態の吸収具１０と同様の構成であり、油剤１５は、常温で固体であって一定の温度に達すると溶融し粘性を有し人体に付着しやすくなる油剤、たとえばラノリンが用いられている。
【００３６】
吸収具１０Ｂは、表側シート１１を内側にして透過抑制層１４と人体６０の皮膚６１とを接触させて、人体６０に変位可能に装着される。吸収具１０Ｂは、人体６０に装着して、体内から排泄される老廃物、たとえば汗および尿などを非塗布領域１７から表側シート１１を浸入方向Ａに透過し、吸収材１３に吸収する。
【００３７】
吸収具１０Ｂにおいて透過抑制層１４を形成する油剤１５は、一定温度に達すると、透過抑制層１４が人体６０の皮膚６１と接触することによって人体６０の皮膚６１に付着する。また吸収具１０Ｂを、人体６０に沿って油剤１５が延びる方向と異なる方向に変位させると、吸収具１０Ｂの変位に伴って透過抑制層１４が接触する範囲よりも広範囲にわたって皮膚６１に油剤１５を付着させることができる。また人体６０を、吸収具１０Ｂに沿って油剤１５が延びる方向と異なる方向に変位させることによっても同様の効果を得ることができる。これによって皮膚６１の一部を、油剤１５によって覆うことができ、油剤１５によって水性の液体が皮膚６１に付着することを防ぎ、水性の液体の付着による不快感などをなくすことができる。
【００３８】
吸収具１０Ｂは、たとえば下着６３の内側に設けられ、人体６０の臀部６２に臀部６２と表側シート１１が対向するように、透過抑制層１４を内側にして臀部６２の皮膚６１に接触させて、装着される。これによって使用者が体を動かすことによって、油剤１５が臀部６２の広範囲の部分に付着し、水性の液体が臀部６２の皮膚６１に付着することを防ぐことができる。したがって水性の液体が皮膚６１に付着した状態で放置されたままになることを防ぎ、前記液体の付着によって生じる皮膚６１のふやけおよび付着した液体内での細菌などの繁殖に起因するかぶれおよび褥瘡などの発症の心配がなくなり、長期間にわたって使用することができる。
【００３９】
図１２は、本発明の実施のさらに他の形態の吸収具１０Ｃを拡大して示す断面図である。図１３は、吸収具１０Ｃの一部の水性の液体が透過する量の分布を示すグラフである。図１４は、吸収具１０Ｃを示す平面図であり、図１５は、吸収具１０Ｃを示す断面図である。図１３では、吸収具１０Ｃの吸収材１３に透過する水性の液体の量を示し、矢印の長さが長いほど、透過する前記液体の量が多いことを示す。本実施の形態の吸収具１０Ｃは、前述の実施の形態の吸収具１０と類似しており、異なる点についてだけ説明し、同様の構成は同一の符号を付して説明を省略する。吸収具１０Ｃは、表側シート１１、裏側シート１２、吸収材１３および油剤１５によって形成される透過抑制層１４Ｃを含む。
【００４０】
吸収具１０Ｃは、略矩形状に形成される。また吸収材１３も、略矩形状に形成される。油剤１５は、吸収材１３が表側シート１１と裏側シート１２に介在している領域だけに、吸収具１０Ｃの長手方向と垂直な方向に延びる縞状に塗布され、長手方向に塗布する油剤１５の厚みを不均一にする。たとえば図１２のように透過抑制層１４における縞の各塗布領域１６Ｃの延びる方向と垂直な断面が、一辺が表側シート１１に接する略三角形状となるように油剤１５を塗布する。油剤１５は、塗布される厚みに従って表側シート１１を透過する水性の液体の量が変化するので、吸収具１０Ｃは、水性の液体の透過量が連続的に変化する透過抑制層１４Ｃを形成することができる。透過抑制層１４Ｃを透過する水性の液体の量は、油剤１５の厚みが一番大きい所で最小となり、厚みが減少するとともに増大し、非塗布領域１７Ｃで最大となる。したがって水性の液体の透過量の分布は、図１３に示されるように、表側シート１１に塗布された油剤１５の厚みの分布を反転した形となる。このようにして油剤１５を塗布する厚みを変化させることによって、透過させ、吸収させる水性の液体の量を調整することができる。
【００４１】
図１６は、本発明の実施のさらに他の形態の吸収具１０Ｄの一部を拡大して示す拡大図である。図１７は吸収具１０Ｄを示す平面図である。図１８は、吸収具１０Ｄを製造するために用いられる油剤転写コートロール４０Ｄを示す斜視図である。本実施の形態の吸収具１０Ｄは、前述の実施の形態の吸収具１０と類似しており、異なる点だけ説明し、同様の構成は、同一の符号を付して説明を省略する。吸収具１０Ｄは、表側シート１１、裏側シート１２、吸収材１３および油剤１５を塗布することによって形成される透過抑制層１４Ｄを含んで構成され、略楕円形状に形成される。
【００４２】
透過抑制層１４Ｄは、油剤１５を塗布領域１６Ｄと非塗布領域１７Ｄとが市松模様になるように塗布して形成される。塗布領域１６Ｄの略正方形の一辺の長さＬ３は、１〜１０ｍｍとなるように油剤１５が塗布されている。また塗布領域１６Ｄに塗布された油剤１５の厚みは、均一であっても、不均一であってもよい。これによって吸収具１０Ｄは、局所的に水性の液体の透過量を減少させることが可能となり、吸収材１３に吸収された水性の液体の逆戻り抑制の効果を高くすることができる。
【００４３】
油剤転写コートロール４０Ｄは、吸収具１０Ｄを製造装置２０を用いて製造する場合に、吸収具１０を製造するために用いられる前述の油剤転写コートロール４０に代わって用いる。油剤転写コートロール４０Ｄは、略円筒形状に形成され、凸部４２Ｄが市松模様状に外周面部の全周面にわたって形成され、外周面部に市松模様状凸部４３Ｄを形成する。これによって製造装置２０は、油剤転写コートロール４０によって透過抑制層１４Ｄを形成することができる。したがって製造装置２０を用いて吸収具１０Ｄを製造することが可能となる。
【００４４】
図１９は、本発明の実施のさらに他の形態の吸収具１０Ｅを示す平面図である。本実施の形態の吸収具１０Ｅは、前述の実施の形態の吸収具１０と類似しており、異なる点についてだけ説明し、同様の構成は同一の符号を付して説明を省略する。吸収具１０Ｅは、表側シート１１、裏側シート１２、吸収材１３、第１透過抑制層８１および第２透過抑制層８２を含んで構成される。吸収具１０Ｅは、略楕円形状に形成される。
【００４５】
第１透過抑制層８１は、表側シート１１上に塗布領域１６Ｅと非塗布領域１７Ｅとが市松模様状となるように油剤１５が塗布されて形成される油剤塗布部８３と第１透過抑制層８１の少なくとも一部に油剤１５が塗布されない非油剤塗布部８４とを含んで構成される。たとえば、図１９のように第１透過抑制層８１の中央部に略楕円形状の非油剤塗布部８４を形成する。これによって油剤１５を塗布することが好ましくない部位がある場合、前記部位を非塗布部８４に対向させることによって油剤１５が前記部位に塗布されることを防ぐことができる。また局所的に透過する水性の液体の量を多くすることができる。
【００４６】
第２透過抑制層８２は、吸収具１０Ｅの周縁部の少なくとも一部の領域に油剤１５が全面に塗布されて形成される。これによって吸収材１３に吸収された水性の液体が逆戻りする場合、第２透過抑制層によって吸収具１０Ｅの周縁部から逆戻りし、吸収具１０Ｅから漏れ出ることを防ぐことができる。
【００４７】
したがって吸収具１０Ｅは、水性の液体の供給源を非油剤塗布部８４に対向させることによって、水性の液体の吸収性を高くし、第１透過抑制層８３によって逆戻りを防止し、第２透過抑制層８４によって吸収具１０Ｅから吸収材１３に吸収された水性の液体が縁漏れすることを防ぐことができる。
【００４８】
図２０は、本発明の実施のさらに他の形態の吸収具１０Ｆ（以下、理解を容易にするために「尿取りパッド１０Ｆ」という場合がある。）を示す平面図である。尿取りパッド１０Ｆは、人体６０の恥骨部から会陰を経て、臀部にわたって覆って装着することができるように形成され排泄される尿などを吸収することができる。尿取りパッド１０Ｆは、前述の実施の吸収具１０と類似しており、同様の構成は、同一の符号を付して説明を省略する。尿取りパッド１０Ｆは、表側シート１１、裏側シート１２、吸収材１３および透過抑制層１４Ｆを含んで構成される。
【００４９】
透過抑制層１４Ｆは、油剤１５が塗布されない高透水性部９１と油剤１５が塗布される低透水性部９２を含んで構成される。高透水性部９１は、尿取りパッド１０Ｆを装着した場合、尿などの排泄物を吸収するために表側シート１１を内側にして人体６０の皮膚６１に接触して、恥骨部から会陰にわたって覆うように形成される。低透水性部９２は、表側シート１１上に塗布領域１６Ｆが網点状になるように油剤１５を塗布して形成される。低透水性部９２は、尿取りパッド１０Ｆが装着された場合、低透水性部９２が押圧されることによって吸収された水性の液体が逆戻りして、臀部に付着することを抑制するために臀部を覆うように形成される。
【００５０】
このようにして高透水性部９１によって尿などの排泄物を効率よく吸収するとともに、低透水性部９２によって局所的に排泄物が逆戻りすることが好ましくない範囲の逆戻りを抑制することができる利便性の高い尿取りパッド１０Ｆを実現することができる。
【００５１】
図２１は、本発明の実施のさらに他の形態の吸収具１０Ｇ（以下、理解を容易にするために「生理用ナプキン１０Ｇ」という場合がある。）を示す平面図である。生理用ナプキン１０Ｇは、会陰を覆って装着することができるように形成され、経血を吸収することができる。生理用ナプキン１０Ｇは、前述の実施の形態の吸収具１０に類似しており、異なる点についてだけ説明し、同様の構成は同一の符号を付して説明を省略する。生理用ナプキン１０Ｇは、表側シート１１、裏側シート１２、吸収材１３および透過抑制層１４Ｇを含んで構成される。透過抑制層１４Ｇは、油剤１５を塗布領域１６Ｇが外周の径が異なる同心の楕円領域が少なくとも１つ以上形成されるように塗布することによって形成される。これによって体位を変えても生理用ナプキンに付着した経血が油剤１５によって油剤１５に沿った方向に案内され、経血が生理用ナプキン１０Ｇの周縁部から外部へ漏れ出ることを防ぐことができ、生理用ナプキンから経血が縦漏れおよび横漏れすることを防ぐことができる。
【００５２】
本実施の形態の吸収具１０では、表側シート１１の面積に対する油剤１５の塗布領域の割合は、０％を超えて１００％未満の範囲で部位に合わせて塗布することができる。吸収具１０の使用状態などを考慮すると、個人差、部位および用途などにかかわらず好適に用いるために前記割合は、１０％以上８０％以下の範囲が好ましい。これによってどのような部位に装着しても、漏れおよび逆戻りによって皮膚に水性の液体が付着することを抑制した状態で使用することができる。また油剤１５を塗布した場合、塗布される厚みは、１ｍ2あたり１ｇ〜２０ｇ程度が好ましい。また油剤１５は、動物油脂および植物油脂だけでなく、鉱物系油脂、たとえばシリコーン油などであってもよい。
【００５３】
本実施の形態の吸収具１０は、１組の表側シート１１と透過抑制層１４とが設けられているけれども、複数組の表側シート１１と透過抑制層１４を裏側シート１２に積層してもよい。また油剤１５が異なる形状に塗布されて形成される２以上の透過抑制層１４を表側シート１１上に積層してもよい。これによって逆戻り抑制効果を一層高くすることができる。また透過抑制層１４，１４Ｃ，１４Ｄ，１４Ｅ，１４Ｆ，１４Ｇを形成する油剤１５が、塗布される形状は、前述のような縞状、市松模様状および網点状などに限定されず、蜂の巣状、斑模様状、その他幾何学模様状および不幾何学模様状であってもよい。また、塗布領域１６，１６Ｃ，１６Ｄ，１６Ｅ，１６Ｆの各々の形状は、略三角形または丸であってもよく、その形状は、限定されない。さらに吸収具１０Ｅのようにこれらを組み合わせた形状であってもよい。吸収具１０の形状も前述のような形状に限定されず、三角形および台形であってもよく、さらにこれらを組合せた形状であってもよく、使用状況に合わせて形状を適宜変更することができる。また油剤塗布手段２７ｄも、塗布領域１６，１６Ｃ，１６Ｄ，１６Ｅ，１６Ｆの各々の形状に合わせて、外周面部の凹凸の形状を適宜変更することができる。
【図面の簡単な説明】
【００５４】
【図１】本発明の実施の一形態の吸収具１０の一部を拡大して示す斜視断面図である。
【図２】吸収具１０を示す断面図である。
【図３】吸収具１０を示す平面図である。
【図４】吸収具１０を製造するための製造装置２０を簡略して示す平面図である。
【図５】製造装置２０に用いられる油剤転写コートロール４０を示す斜視図である。
【図６】本発明の実施の他の形態の母乳吸収パッド１０Ａの装着状態を示す断面図である。
【図７】吸収具１０Ａを示す平面図である。
【図８】吸収具１０Ａの一部を拡大して示す平面図である。
【図９】吸収具１０Ａの一部を拡大して示す断面図である。
【図１０】本発明の実施のさらに他の形態の吸収具１０Ｂが人体６０に装着される状態の一部を拡大して示す断面図である。
【図１１】吸収具１０Ｂが人体６０に装着される状態を示す側面図である。
【図１２】本発明の実施のさらに他の形態の吸収具１０Ｃを拡大して示す断面図である。
【図１３】吸収具１０Ｃの一部の水性の液体が透過する量の分布を示すグラフである。
【図１４】吸収具１０Ｃを示す平面図である。
【図１５】吸収具１０Ｃを示す断面図である。
【図１６】本発明の実施のさらに他の形態の吸収具１０Ｄの一部を拡大して示す拡大図である。
【図１７】吸収具１０Ｄを示す平面図である。
【図１８】吸収具１０Ｄを製造するために用いられる油剤転写コートロール４０Ｄを示す斜視図である。
【図１９】本発明の実施のさらに他の形態の吸収具１０Ｅを示す平面図である。
【図２０】本発明の実施のさらに他の形態の吸収具１０Ｆを示す平面図である。
【００５５】
【図２１】本発明の実施のさらに他の形態の吸収具１０Ｇを示す平面図である。
【図２２】従来の技術の吸収具１を示す断面図である。
【図２３】吸収具１を装着した状態で上下方向に配置して使用している場合の断面図である。
【符号の説明】
【００５６】
１０，１０Ｂ，１０Ｃ，１０Ｄ，１０Ｅ，１０Ｆ，１０Ｇ  吸収具
１１  表側シート
１２  裏側シート
１３  吸収材
１４，１４Ｃ，１４Ｄ，１４Ｆ，１４Ｇ  透過抑制層
１５  油剤
１６，１６Ｃ，１６Ｄ，１６Ｅ，１６Ｆ  塗布領域
１７，１７Ｃ，１７Ｄ，１７Ｅ  非塗布領域
２０  製造装置
２７ａ  油剤貯蔵手段
２７ｂ  油剤搬送手段
２７ｃ  油剤転写手段
２７ｄ  油剤塗布手段
４０，４０Ｄ  油剤転写コートロール
８１  第１透過抑制層
８２  第２透過抑制層
【図１】
2006006613.tif 000003
【図２】
2006006613.tif 000004
【図３】
2006006613.tif 000005
【図４】
2006006613.tif 000006
【図５】
2006006613.tif 000007
【図６】
2006006613.tif 000008
【図７】
2006006613.tif 000009
【図８】
2006006613.tif 000010
【図９】
2006006613.tif 000011
【図１０】
2006006613.tif 000012
【図１１】
2006006613.tif 000013
【図１２】
2006006613.tif 000014
【図１３】
2006006613.tif 000015
【図１４】
2006006613.tif 000016
【図１５】
2006006613.tif 000017
【図１６】
2006006613.tif 000018
【図１７】
2006006613.tif 000019
【図１８】
2006006613.tif 000020
【図１９】
2006006613.tif 000021
【図２０】
2006006613.tif 000022
【図２１】
2006006613.tif 000023
【図２２】
2006006613.tif 000024
【図２３】
2006006613.tif 000025